(57)【要約】【課題】  魚や野菜、果物等の食材を氷漬けにした氷塊を収容して保管又は輸送するための容器において、容器を傷めることなく氷塊の出し入れを可能とし、しかも未使用時は嵩張ることなく保管でき、さらに廃棄処分やリサイクルも容易にできるようにする。【解決手段】  段ボール製で、短手側板１５を上拡がりの台形状に形成して上面の開口を底板１１より拡幅し、長手側板１２に左右の下隅から上端に渡って斜め折り目１４を形成し、その左右の斜め折り目１４に沿って長手側板１２を外側へ山折りして展開することで隣接する短手側板１５を内側へ折り畳みできるようにする。【選択図】  図３
0003163419.tif 000002
【実用新案登録請求の範囲】
【請求項１】
魚・野菜又は果物の食材を氷漬けにした氷塊を収容して保管又は輸送するための上面が開放された段ボール製の容器であって、対向する前後又は左右の側板を上拡がりの台形状に形成して上面の開口を底板より拡幅し、対向する前後の側板に左右の下隅から上端に渡って斜めの折り目を形成した構造とし、その左右の折り目に沿って前後の側板を外側へ山折りして展開することで隣接する左右の側板を内側へ折り畳みできるようにしたことを特徴とする、折畳式段ボール容器。
【請求項２】
上面の開口を覆う蓋を設け、その蓋の両端に側板の外側に重ねる折曲げ片を形成した、請求項１記載の折畳式段ボール容器。
【請求項３】
段ボールが耐水性を有するものである、請求項１又は２記載の折畳式段ボール容器。
【考案の詳細な説明】
【技術分野】
【０００１】
本考案は、折り畳み可能な段ボール製の容器に関する。
【背景技術】
【０００２】
従来、魚や野菜、果物等の食材を氷漬けにして氷塊の状態で保管又は輸送する際、金属製やプラスチック製、発泡スチロール製の容器を使用していた。しかし、金属製やプラスチック製の容器は高価であり、発泡スチロール製の容器は安価であるが廃棄処分が面倒であった。また、いずれの容器も未使用時は保管場所を取るという問題もあった。
【０００３】
一方、段ボール製の容器は安価で廃棄処分は容易であるが、寸法によっては氷塊を出し入れする際に側板を外側へ広げて変形させる必要があり、容器を傷めることがあった。また、折り畳みも困難で、積み重ねるとバランスが悪くて倒れ易く、前記と同様に未使用時は保管場所を取るという問題があった。
【先行技術文献】
【特許文献】
【０００４】
【特許文献１】実用新案登録第３０５８２６７号公報
【特許文献２】実用新案登録第３０６１３３６号公報
【考案の概要】
【考案が解決しようとする課題】
【０００５】
本考案が解決しようとする課題は、従来のこれらの問題点を解消し、容器を傷めることなく氷塊の出し入れを可能とし、しかも未使用時は嵩張ることなく保管でき、さらに廃棄処分やリサイクルも容易にできるようにすることにある。
【課題を解決するための手段】
【０００６】
かかる課題を解決した本考案の構成は、
１）  魚・野菜又は果物の食材を氷漬けにした氷塊を収容して保管又は輸送するための上面が開放された段ボール製の容器であって、対向する前後又は左右の側板を上拡がりの台形状に形成して上面の開口を底板より拡幅し、対向する前後の側板に左右の下隅から上端に渡って斜めの折り目を形成した構造とし、その左右の折り目に沿って前後の側板を外側へ山折りして展開することで隣接する左右の側板を内側へ折り畳みできるようにしたことを特徴とする、折畳式段ボール容器
２）  上面の開口を覆う蓋を設け、その蓋の両端に側板の外側に重ねる折曲げ片を形成した、前記１）記載の折畳式段ボール容器
３）  段ボールが耐水性を有するものである、前記１）又は２）記載の折畳式段ボール容器
にある。
【考案の効果】
【０００７】
本考案によれば、以下の効果を奏する。
１）上面の開口が底板より拡幅しているから、氷塊の収容時にその両面と側板との間に隙間が生じ、この隙間に手や道具を差し込むことで側板を変形させることなく出し入れが可能となり、容器を傷めることがない。
２）未使用時は、前後の側板を左右の斜めの折り目に沿って外側へ山折りして展開し、隣接する左右の側板を内側へ折り畳んで薄型に形成することで、多数枚を積み重ねて場所を取ることなく保管できる。
３）発泡スチロール製の容器と比較して廃棄処分やリサイクルが容易で、金属製やプラスチック製の容器と比較して低コストで実施できる。
【図面の簡単な説明】
【０００８】
【図１】実施例１の折畳式段ボール容器の展開図である。
【図２】実施例１の蓋の展開図である。
【図３】実施例１の折畳式段ボール容器と蓋の斜視図である。
【図４】実施例１の折畳式段ボール容器の折り畳みを示す説明図である。
【図５】実施例１の折畳式段ボール容器の積み重ねを示す断面図である。
【図６】実施例２の折畳式段ボール容器の展開図である。
【図７】実施例２の蓋の展開図である。
【図８】実施例２の折畳式段ボール容器と蓋の斜視図である。
【図９】実施例２の折畳式段ボール容器の折り畳みを示す説明図である。
【考案を実施するための形態】
【０００９】
以下、本考案を実施するための形態を各実施例と図面に基づいて具体的に説明する。
【実施例】
【００１０】
（実施例１）図１は実施例１の折畳式段ボール容器の展開図、図２は実施例１の蓋の展開図、図３は実施例１の折畳式段ボール容器と蓋の斜視図、図４は実施例１の折畳式段ボール容器の折り畳みを示す説明図、図５は実施例１の折畳式段ボール容器の積み重ねを示す説明図である。
【００１１】
図中、１０は折畳式段ボール容器、１１は底板、１２は長手側板、１３は折り目、１４は斜め折り目、１５は短手側板、１６は折り目、１７は糊代、１８は折り目、２０は蓋、２１は折曲げ片、２２は折り目、Ａは氷塊、Ｆは魚、Ｓは隙間である。
【００１２】
実施例１の折畳式段ボール容器１０は、図１に示すように、耐水処理された１枚の両面段ボールからなり、長方形状の底板１１の四辺に長手側板１２と短手側板１５を対向して形成し、短手側板１５の側端に糊代１７を形成している。長手側板１２にはその左右の下隅から上端となる辺に渡って４５度角の斜め折り目１４を形成し、短手側板１５は上拡がりとなる台形状に形成している。
【００１３】
蓋２０は、図２に示すように、耐水処理された１枚の両面段ボールからなり、長さは長手側板１２の上端となる辺の長さと同じで、幅は短手側板１５の上端となる辺の長さと同じに形成し、長手の両端には折曲げ片２１を形成している。
【００１４】
収容する物品は魚Ｆを氷漬けにした氷塊Ａであり、氷塊Ａを魚Ｆの大きさに係わらずに一定の寸法の直方体に形成したものである。折畳式段ボール容器１０と蓋２０はこの氷塊Ａの長さ・幅・高さに合せて製作され、長手側板１２と短手側板１５の高さは氷塊Ａの高さとほぼ同じに形成し、底板１１の長さ及び幅は氷塊Ａの底面の長さ及び幅とほぼ同じに形成している。
【００１５】
実施例１では、図３に示すように、長手側板１２と短手側板１５を折り目１３，１６に沿って折り立て、短手側板１５に有する糊代１７を折り目１８に沿って山折りし、その糊代１７の内面に糊付けして長手側板１２の外面に重ねて接着し、上面が開放された折畳式段ボール容器１０を組み立てる。蓋２０は、その折曲げ片２１を折り目２２に沿って下向きに山折りする。
【００１６】
未使用時は、図４に示すように、折畳式段ボール容器１０の長手側板１２を左右の斜め折り目１４に沿って外側へ山折りして展開し、短手側板１５を内側へ折り畳むことで薄型に形成し、蓋２０とともに多数枚を積み重ねて場所を取ることなく保管できる。
【００１７】
使用時は、図５に示すように、短手側板１５を外側へ広げて長手側板１２を展開し、氷塊Ａを収容し、蓋２０を上方から被せて折曲げ片２１を長手側板１２の外側に重ね、粘着テープや結束バンド等（図示せず）で固定する。このとき、折畳式段ボール容器１０は上面の開口が底板１１より拡幅しているから、氷塊Ａの両面と長手側板１２との間に隙間Ｓが生じ、この隙間Ｓに手や道具を差し込むことで長手側板１２を外側へ広げて変形させることなく出し入れが可能となり、折畳式段ボール容器１０を傷めることがない。一方、氷塊Ａの下部と長手側板１２及び短手側板１５との間には隙間はほとんど無いから、氷塊Ａは折畳式段ボール容器１０内で横ズレすることなく定位置に配置される。
【００１８】
積み重ねる際は、上段の折畳式段ボール容器１０を下段の折畳式段ボール容器１０の蓋２０の上面に配置するだけで安定した姿勢で積み重ねできる。上段の折畳式段ボール容器１０及び氷塊Ａの自重は下段の氷塊Ａの上面に対して作用し、長手側板１２や短手側板１５、蓋２０が変形したり潰れたりすることはない。
【００１９】
（実施例２）図６は実施例２の折畳式段ボール容器の展開図、図７は実施例２の蓋の展開図、図８は実施例２の折畳式段ボール容器と蓋の斜視図、図９は実施例２の折畳式段ボール容器の折り畳みを示す説明図である。
【００２０】
実施例２では、図６に示すように、耐水処理された１枚の両面段ボールからなり、長方形状の底板１１の四辺に長手側板１２と短手側板１５を対向して形成し、長手側板１２の側端に糊代１７を形成している。短手側板１５にはその左右の下隅から上端となる辺に渡って４５度角の斜め折り目１４を形成し、短手側板１５は上拡がりの台形状に形成している。
【００２１】
蓋２０は、図７に示すように、耐水処理された１枚の両面段ボールからなり、長さは長手側板１２の上端となる辺の長さと同じで、幅は短手側板１５の上端となる辺の長さと同じに形成し、短手の両端には短手側板１５の外側に重ねる折曲げ片２１を形成している。
【００２２】
実施例２では、図８に示すように、長手側板１２と短手側板１５を折り目１３，１６に沿って折り立て、長手側板１２に有する糊代１７を折り目１８に沿って山折りし、その糊代１７の内面に糊付けして短手側板１５の外面に重ねて接着し、上面が開放された折畳式段ボール容器１０を組み立てる。蓋２０は、その折曲げ片２１を折り目２２に沿って下向きに山折りする。
【００２３】
未使用時は、図９に示すように、折畳式段ボール容器１０の短手側板１５を左右の斜め折り目１４に沿って外側へ山折りして展開し、長手側板１２を内側へ折り畳むことで薄型に形成し、蓋２０とともに多数枚を積み重ねて場所を取ることなく保管できる。使用と積み重ねは実施例１と同様に行われる。その他、符号、構成、作用効果は実施例１と同じである。
【産業上の利用可能性】
【００２４】
本考案の技術は、魚や野菜、果物等の食材を氷漬けにした氷塊を収容して保管又は輸送するために利用される。
【符号の説明】
【００２５】
１０  折畳式段ボール容器
１１  底板
１２  長手側板
１３  折り目
１４  斜め折り目
１５  短手側板
１６  折り目
１７  糊代
１８  折り目
２０  蓋
２１  折曲げ片
２２  折り目
Ａ  氷塊
Ｆ  魚
Ｓ  隙間
【図１】
0003163419.tif 000003
【図２】
0003163419.tif 000004
【図３】
0003163419.tif 000005
【図４】
0003163419.tif 000006
【図５】
0003163419.tif 000007
【図６】
0003163419.tif 000008
【図７】
0003163419.tif 000009
【図８】
0003163419.tif 000010
【図９】
0003163419.tif 000011